(57)【要約】【課題】簡易で経済的な構成により、吸気口の閉塞を正確に判定して動作の異常が発生するのを防止することができるとともに、吸気口の閉塞を的確に報知することができる医療用電子機器を提供する。【解決手段】第１吸気口、第２吸気口および排気口が形成されており、第１吸気口が閉塞したときに開いて第２吸気口を開口とする蓋部を有する筐体部と、蓋部の開閉状態を検知する検知部と、検知部の検知結果に基づいて第１吸気口の閉塞に関連する情報を出力する出力部と、を備える。【選択図】図２
2018166195.tif 000002
【特許請求の範囲】
【請求項１】
第１吸気口、第２吸気口および排気口が形成されており、前記第１吸気口が閉塞したときに開いて前記第２吸気口を開口とする蓋部を有する筐体部と、
前記蓋部の開閉状態を検知する検知部と、
前記検知部の検知結果に基づいて前記第１吸気口の閉塞に関連する情報を出力する出力部と、
を備えたことを特徴とする医療用電子機器。
【請求項２】
前記筐体部の側壁に前記第１吸気口および前記排気口が形成されるとともに、前記筐体部の底部に前記第２吸気口が形成されていることを特徴とする請求項１に記載の医療用電子機器。
【請求項３】
前記蓋部は、
前記第２吸気口を開閉自在に被覆することを特徴とする請求項１または２に記載の医療用電子機器。
【請求項４】
前記第１吸気口および前記第２吸気口よりも前記排気口の近くに位置し、前記第１吸気口または前記第２吸気口から流入する空気を前記排気口へ送る送風部を備えたことを特徴とする請求項１〜３のいずれか一項に記載の医療用電子機器。
【請求項５】
前記検知部の検知結果に基づいて前記蓋部の開閉状態を判定する制御部を備え、
前記出力部は、
前記制御部によって前記蓋部が開いていると判定された場合、前記第１吸気口の閉塞に関連する情報を出力することを特徴とする請求項１〜４のいずれか一項に記載の医療用電子機器。
【請求項６】
前記蓋部は、
前記第１吸気口が位置する側に開くことを特徴とする請求項１〜５のいずれか一項に記載の医療用電子機器。
【請求項７】
前記第１吸気口および前記第２吸気口よりも前記排気口の近くに位置し、前記第１吸気口または前記第２吸気口から流入する空気を前記排気口へ送る送風部を備え、
前記蓋部は、
前記送風部が位置する側に開くことを特徴とする請求項１〜５のいずれか一項に記載の医療用電子機器。
【請求項８】
前記蓋部と前記送風部との間であって前記蓋部の近傍に位置し、前記検知部の検知結果に基づいて前記蓋部の開閉状態を判定する制御部を備えたことを特徴とする請求項７に記載の医療用電子機器。
【請求項９】
前記第１吸気口に取り付けられ、塵および埃を吸収するフィルタをさらに備えたことを特徴とする請求項１〜８のいずれか一項に記載の医療用電子機器。
【請求項１０】
前記検知部の検知結果に基づいて前記蓋部の開閉状態および前記フィルタの目詰まりの有無を判定する制御部を備え、
前記出力部は、
前記制御部によって前記フィルタの目詰まりがあると判定された場合、該目詰まりに関連する情報を出力することを特徴とする請求項９に記載の医療用電子機器。
【請求項１１】
前記制御部によって前記フィルタの目詰まりがあると判定された場合、前記制御部の制御のもとで前記目詰まりを除去する除去部をさらに備えたことを特徴とする請求項１０に記載の医療用電子機器。
【請求項１２】
前記第１吸気口および前記第２吸気口よりも前記排気口の近くに位置し、前記第１吸気口または前記第２吸気口から流入する空気を前記排気口へ送る送風部を備え、
前記筐体部は、
前記第１吸気口と前記送風部との間の空間であって底面に前記蓋部を有する空間を隔離する隔離壁を有することを特徴とする請求項１〜１１のいずれか一項に記載の医療用電子機器。
【請求項１３】
前記第１吸気口と前記送風部との間の空間であって底面に前記蓋部を有する空間は、前記第１および第２吸気口、ならびに前記送風部が設けられている部分を除いて密閉されていることを特徴とする請求項１２に記載の医療用電子機器。
【請求項１４】
前記検知部の検知結果に基づいて前記蓋部の開閉状態を判定する制御部を備え、
前記制御部によって前記蓋部が開いていると判定された場合、前記第１吸気口の閉塞を解除する閉塞解除部をさらに備えたことを特徴とする請求項１〜１３のいずれか一項に記載の医療用電子機器。
【発明の詳細な説明】
【技術分野】
【０００１】
本発明は、医療用電子機器に関する。
【背景技術】
【０００２】
電子部品を備えた電子機器に対しては、動作時に発熱する電子部品を冷却するために外部から空気を吸入して排出する機構を設けるのが一般的である。例えば、特許文献１には、冷却用のファンと、吸気口に設けられる防塵用のフィルタと、緊急用の予備フィルタと、予備フィルタの内面にばねで押し付けられた仕切り板とを備えた電子機器が開示されている。この技術では、フィルタの目詰まりが進行して許容範囲を超える圧損が生じた場合、仕切り板が機器の内側に移動して予備フィルタを介した空気の流入を可能とし、電子部品の冷却を維持する。また、この技術では、仕切り板が機器の内側に移動したことを検知して警告を出力する。
【０００３】
医療用の電子機器の場合、機器の内部への薬品や液体の浸入による汚染を防止するために、覆布やドレープなどのカバーによって機器の表面を被覆することがある。カバーが吸気口を閉塞すると、空気による電子部品の冷却が阻害されてしまい、機器内の温度が高温になって不具合を生じるおそれがある。この問題を解決するために、機器内の温度上昇を検出した場合、冷却用のファンの回転数を増加させることによって放熱効率を上げる制御を行うことが考えられる。
【先行技術文献】
【特許文献】
【０００４】
【特許文献１】特開２００３−８２７２号公報
【発明の概要】
【発明が解決しようとする課題】
【０００５】
しかしながら、機器内の温度は周囲の温度やノイズの影響を受けやすいため、温度の検出結果によって吸気口の閉塞を正確に判定できるとは限らない。加えて、異常と判定する温度の設定自体も難しい。設定温度が高すぎると、異常判定後に機器内部の放熱効率を上げたとしても間に合わず、動作に異常が発生してしまうおそれがある。一方、設定温度が低すぎると、異常判定の感度が必要以上に高くなり、正常な動作状態であっても異常が発生したと誤判定してしまうおそれがある。
【０００６】
これらの問題を解決するには、高精度の温度検出機構や高性能の放熱手段を用いて電子機器を構成することが考えられるが、その場合には構成の複雑化および高コスト化を招くこととなる。
【０００７】
本発明は、上記に鑑みてなされたものであって、簡易で経済的な構成により、吸気口の閉塞を正確に判定して動作の異常が発生するのを防止することができるとともに、吸気口の閉塞を的確に報知することができる医療用電子機器を提供することを目的とする。
【課題を解決するための手段】
【０００８】
上述した課題を解決し、目的を達成するために、本発明に係る医療用電子機器は、第１吸気口、第２吸気口および排気口が形成されており、前記第１吸気口が閉塞したときに開いて前記第２吸気口を開口とする蓋部を有する筐体部と、前記蓋部の開閉状態を検知する検知部と、前記検知部の検知結果に基づいて前記第１吸気口の閉塞に関連する情報を出力する出力部と、を備えたことを特徴とする。
【０００９】
本発明に係る医療用電子機器は、上記発明において、前記筐体部の側壁に前記第１吸気口および前記排気口が形成されるとともに、前記筐体部の底部に前記第２吸気口が形成されていることを特徴とする。
【００１０】
本発明に係る医療用電子機器は、上記発明において、前記蓋部は、前記第２吸気口を開閉自在に被覆することを特徴とする。
【００１１】
本発明に係る医療用電子機器は、上記発明において、前記第１吸気口および前記第２吸気口よりも前記排気口の近くに位置し、前記第１吸気口または前記第２吸気口から流入する空気を前記排気口へ送る送風部を備えたことを特徴とする。
【００１２】
本発明に係る医療用電子機器は、上記発明において、前記検知部の検知結果に基づいて前記蓋部の開閉状態を判定する制御部を備え、前記出力部は、前記制御部によって前記蓋部が開いていると判定された場合、前記第１吸気口の閉塞に関連する情報を出力することを特徴とする。
【００１３】
本発明に係る医療用電子機器は、上記発明において、前記蓋部は、前記第１吸気口が位置する側に開くことを特徴とする。
【００１４】
本発明に係る医療用電子機器は、上記発明において、前記第１吸気口および前記第２吸気口よりも前記排気口の近くに位置し、前記第１吸気口または前記第２吸気口から流入する空気を前記排気口へ送る送風部を備え、前記蓋部は、前記送風部が位置する側に開くことを特徴とする。
【００１５】
本発明に係る医療用電子機器は、上記発明において、前記蓋部と前記送風部との間であって前記蓋部の近傍に位置し、前記検知部の検知結果に基づいて前記蓋部の開閉状態を判定する制御部を備えたことを特徴とする。
【００１６】
本発明に係る医療用電子機器は、上記発明において、前記第１吸気口に取り付けられ、塵および埃を吸収するフィルタをさらに備えたことを特徴とする。
【００１７】
本発明に係る医療用電子機器は、上記発明において、前記検知部の検知結果に基づいて前記蓋部の開閉状態および前記フィルタの目詰まりの有無を判定する制御部を備え、前記出力部は、前記制御部によって前記フィルタの目詰まりがあると判定された場合、該目詰まりに関連する情報を出力することを特徴とする。
【００１８】
本発明に係る医療用電子機器は、上記発明において、前記制御部によって前記フィルタの目詰まりがあると判定された場合、前記制御部の制御のもとで前記目詰まりを除去する除去部をさらに備えたことを特徴とする。
【００１９】
本発明に係る医療用電子機器は、上記発明において、前記第１吸気口および前記第２吸気口よりも前記排気口の近くに位置し、前記第１吸気口または前記第２吸気口から流入する空気を前記排気口へ送る送風部を備え、前記筐体部は、前記第１吸気口と前記送風部との間の空間であって底面に前記蓋部を有する空間を隔離する隔離壁を有することを特徴とする。
【００２０】
本発明に係る医療用電子機器は、上記発明において、前記第１吸気口と前記送風部との間の空間であって底面に前記蓋部を有する空間は、前記第１および第２吸気口、ならびに前記送風部が設けられている部分を除いて密閉されていることを特徴とする。
【００２１】
本発明に係る医療用電子機器は、上記発明において、前記検知部の検知結果に基づいて前記蓋部の開閉状態を判定する制御部を備え、前記制御部によって前記蓋部が開いていると判定された場合、前記第１吸気口の閉塞を解除する閉塞解除部をさらに備えたことを特徴とする。
【発明の効果】
【００２２】
本発明によれば、簡易な構成によって空気の吸気口が閉塞された場合に的確な処理を行うことができるとともに異常の発生を報知することができる。
【図面の簡単な説明】
【００２３】
【図１】図１は、本発明の実施の形態１に係る医療用電子機器である手術用顕微鏡の外観構成を示す図である。
【図２】図２は、本発明の実施の形態１に係る医療用電子機器が備えるベース部の内部の概略構成を示す図である。
【図３】図３は、第１開口部が閉塞した状態におけるベース部の内部の状況を示す図である。
【図４】図４は、本発明の実施の形態２に係る医療用電子機器が備えるベース部の内部の概略構成を示す図である。
【図５】図５は、本発明の実施の形態２の変形例に係る医療用電子機器が備えるベース部の内部の概略構成を示す図である。
【図６】図６は、本発明の実施の形態３に係る医療用電子機器が備えるベース部の内部の概略構成を示す図である。
【図７】図７は、本発明の実施の形態４に係る医療用電子機器が備えるベース部の内部の概略構成を示す図である。
【図８】図８は、アーム部が突出して第１開口部の閉塞が解除された状態を示す図である。
【図９】図９は、本発明の実施の形態５に係る医療用電子機器が備えるベース部の内部の概略構成を示す図である。
【図１０】図１０は、本発明の実施の形態６に係る医療用電子機器が備えるベース部の内部の概略構成を示す図である。
【発明を実施するための形態】
【００２４】
以下、添付図面を参照して、本発明を実施するための形態（以下、「実施の形態」という）を説明する。図面の記載において、同一の部分には同一の符号を付している。なお、図面は模式的なものであり、図面の相互間において同一の部分の寸法や同一の部分間の大きさの比率等が異なる場合もある。
【００２５】
（実施の形態１）
図１は、本発明の実施の形態１に係る医療用電子機器である手術用顕微鏡の外観構成を示す図である。同図に示す手術用顕微鏡１は、被観察体の微細構造を拡大して撮像する機能を有する。手術用顕微鏡１は、内部に各種電子部品を有するベース部２と、２つのアーム部および該２つのアーム部の一方を他方に対して回動可能に連結する関節部からなる組を複数有し、ベース部２に支持される支持部３と、支持部３の先端に設けられ、被観察体の微小部位の拡大像を撮像して画像信号を生成する円柱状の顕微鏡部４と、を備える。顕微鏡部４が生成した画像信号は、支持部３の内部空間に延在する伝送ケーブルを介してベース部２に伝送される。ベース部２が有する制御部（後述）は、表示用の画像信号を生成し、その画像信号を図示しない表示装置に出力する。医師等のユーザは、表示装置が表示する画像を見ながら手術を行う。
【００２６】
図２は、ベース部２の内部の概略構成を示す図である。ベース部２は、筐体部２１と、送風部２２と、制御部２３と、検知部２４と、出力部２５とを備える。
【００２７】
筐体部２１は直方体状をなしており、一つの側壁（図２の左側壁）に第１吸気口である第１開口部２１１が形成されるとともに、その側壁と対向する側壁（図２の右側壁）に排気口である第２開口部２１２が形成されている。筐体部２１の底部（図２の下部）には、第２吸気口である第３開口部２１３が形成されている。第１開口部２１１が形成される側壁は、図１に示すように、顕微鏡部４が位置する側の側壁であり、被観察体と対向する（図１を参照）。
【００２８】
筐体部２１は、第３開口部２１３を開閉自在に被覆し、第１開口部２１１が閉塞したときに開いて第３開口部２１３を開口とする蓋部２１４を有する。蓋部２１４は、通常状態において自重で閉じた構造を有しており、第１開口部２１１が閉塞すると、第１開口部２１１が位置する側（図２の左側壁側）に開く。筐体部２１および蓋部２１４は、例えば金属または合金を用いて構成される。蓋部２１４の主面の形状は、筐体部２１の内部における空気の流れを考慮して最適な形状とすればよく、例えば矩形状でもよいし多角形状でもよい。なお、蓋部２１４の端部のうち蓋部２１４が開く側の端部に磁石を設けることによって、蓋部２１４が閉じた状態で磁石が筐体部２１に吸着するようにしてもよい。蓋部２１４に磁石を設ける場合、その磁石の磁力は、第１開口部２１１が閉塞した場合に蓋部２１４が開くことが可能な程度の大きさを有する。
【００２９】
送風部２２は、第１開口部２１１および第３開口部２１３よりも第２開口部２１２の近くに位置している。すなわち、送風部２２から第２開口部２１２までの距離は、第１開口部２１１および第３開口部２１３から第２開口部２１２までの距離と比して小さい。送風部２２は、図２に示す通常状態において、第１開口部２１１から流入した空気を第２開口部２１２へ送る（図２の太線を参照）。これにより、制御部２３が発する熱を外部へ放熱し、筐体部２１の内部の温度上昇を抑制する。送風部２２は、例えばファンを用いて構成される。
【００３０】
制御部２３は、送風部２２と第２開口部２１２との間に位置する。制御部２３は、複数の電子部品を有するＣＰＵ（Central  Proccessing  Unit）やＦＰＧＡ（Field  Progammable  Gate  Array）等を用いて構成され、手術用顕微鏡１の動作を制御する。例えば、制御部２３は、検知部２４の検知結果に基づいて蓋部２１４の開閉を判定し、判定結果に基づいて出力部２５を制御する。電子部品は、例えばＬＳＩ（Large  Scale  Integration）等のＩＣ（Integrated  Circuit）を含む。これらの電子部品は、動作時に発熱するが、送風部２２から送られる空気によって冷却される。
【００３１】
検知部２４は、筐体部２１の底面であって蓋部２１４が開く側の底面に位置し、蓋部２１４の開閉状態を検知する機能を有する。検知部２４は、例えば赤外線距離センサを用いて構成され、蓋部２１４に照射した赤外線の反射光を用いて蓋部２１４までの距離を検出する。蓋部２１４が開いている場合の距離は、閉じている場合の距離よりも大きな値として検出される。なお、蓋部２１４に磁石が設けられている場合には、磁気センサを用いて検知部２４を構成し、磁界の強さを検出するようにしてもよい。
【００３２】
出力部２５は、検知部２４の検知結果に応じた制御部２３の制御のもとで、第１開口部２１１の閉塞に関連する情報（閉塞関連情報）を出力する。出力部２５は、例えば第１開口部２１１の閉塞関連情報を音声によって出力するスピーカを有してもよいし、閉塞関連情報を光の点灯または点滅によって出力するランプを有してもよい。また、出力部２５は、表示装置に対して閉塞関連情報を出力するインターフェースとして機能してもよい。出力部２５が出力した閉塞関連情報を取得した表示装置は、その閉塞関連情報を表示する。なお、ここでいう閉塞関連情報は、第１開口部２１１の閉塞を示す情報を含んでおり、閉塞の原因の確認や解消を促す情報を含んでもよい。
【００３３】
図３は、第１開口部２１１が閉塞した状態におけるベース部２の内部の状況を示す図である。上述したように、第１開口部２１１が形成される側壁は、被観察体と対向する側の側壁であるため、図３に示すように、清潔な覆布１０１によって覆われることがある。この状態において閉塞した第１開口部２１１からは空気が流入せず、筐体部２１の内部には送風部２２の吸引による気圧低下に起因した負圧が発生する。この負圧が発生すると、図３に示すように、蓋部２１４が開き、第３開口部２１３からベース部２の内部に空気が流入する（図３の太線参照）。すなわち、第１開口部２１１が閉塞した場合、第３開口部２１３を吸気口とするバックアップ用の吸入経路を介して空気がベース部２の内部に流入する。
【００３４】
制御部２３は、検知部２４の検知結果に基づいて蓋部２１４が開いたと判定し、出力部２５に対して閉塞関連情報を出力させる制御を行う。これにより、ユーザは第１開口部２１１の閉塞を認識することができる。
【００３５】
以上説明した本発明の実施の形態１によれば、筐体部２１の蓋部２１４は第１開口部２１１が閉塞することによって発生するベース部２の内部の負圧によって開くことが可能であり、制御部２３が検知部２４の検知結果に基づいて蓋部２１４が開いていると判定した場合、出力部２５は第１開口部２１１の閉塞関連情報を外部に出力するため、高性能の温度検出機構や高性能の放熱手段が不要である。したがって、簡易で経済的な構成により、吸気口の閉塞を正確に判定して動作の異常が発生するのを防止することができるとともに、吸気口の閉塞を的確に報知することができる。
【００３６】
また、本実施の形態１によれば、蓋部２１４は第１開口部２１１が位置する側に開くため、蓋部２１４が開いて第３開口部２１３から空気が流入しても第１開口部２１１から空気が流入する場合と同様の経路をたどって送風部２２に到達する。したがって、第１開口部２１１が閉塞しても、閉塞していない場合と同様の放熱効果を得ることができる。
【００３７】
また、本実施の形態１によれば、第１開口部２１１が閉塞した場合にも蓋部２１４が開くため、吸気効率の低下を抑制し、ベース部２の内部で異常な高温が発生するのを防止して放熱効率を維持することができる。
【００３８】
また、本実施の形態１によれば、ユーザは第１開口部２１１の閉塞の有無をリアルタイムで監視することが可能となる。
【００３９】
また、本実施の形態１によれば、バックアップ用の吸気経路は通常閉じた状態にあるため、第３開口部２１３のレイアウトの自由度が高い。
【００４０】
（実施の形態２）
図４は、本発明の実施の形態２に係る医療用電子機器である手術用顕微鏡が備えるベース部の内部の概略構成を示す図である。同図に示すベース部２Ａは、筐体部２１と、送風部２２と、制御部２３と、検知部２４Ａと、出力部２５と、フィルタ２６とを備える。ベース部２Ａを除く手術用顕微鏡の構成は、実施の形態１で説明した手術用顕微鏡１の構成と同様である。
【００４１】
検知部２４Ａは、蓋部２１４の開いた角度を検出する角度センサを有する。なお、検知部２４Ａとして、蓋部２１４の回転を検出する回転センサを適用してもよい。また、実施の形態１で説明した赤外線距離センサや磁気センサを適用し、制御部２３が検知結果を蓋部２１４の回転角に換算する演算を行うようにしてもよい。
【００４２】
フィルタ２６は、第１開口部２１１の内周側を被覆し、第１開口部２１１から流入する空気に含まれる塵および埃等を吸収して筐体部２１の内部へ侵入するのを防止する機能を有する。フィルタ２６は、例えば不織布を用いて構成される。
【００４３】
フィルタ２６を長期にわたって使用すると、フィルタ２６に目詰まりが発生してフィルタ２６の通気量が目詰まりの程度に応じて減少する。この減少に伴う送風部２２の吸気量の減少分を補うために蓋部２１４が開き、第３開口部２１３から空気が供給される。この状態で蓋部２１４が開く角度は、第１開口部２１１が閉塞した状態で蓋部２１４が開く角度よりも小さい。したがって、本実施の形態２においては、フィルタ２６の目詰まりによって蓋部２１４が開いた状態と、第１開口部２１１の閉塞によって蓋部２１４が開いた状態とを区別する必要がある。
【００４４】
そこで、本実施の形態２では、検知部２４Ａが検知する蓋部２１４の開き角θに対して、制御部２３がフィルタ２６に目詰まりがあると判定する開き角θの範囲を予めθ1≦θ＜θ2（ただしθ1＜θ2）と設定する一方、制御部２３が第１開口部２１１の閉塞を判定する開き角θの範囲を予めθ≧θ2と設定する。制御部２３は、検知部２４Ａが検知した開き角θがθ1≦θ＜θ2である場合、フィルタ２６に目詰まりがあると判定し、出力部２５にフィルタ２６の目詰まりに関連する情報（目詰まり関連情報）を出力させる。ここでいう目詰まり関連情報は、フィルタ２６が目詰まりしたことを示す情報を含んでおり、フィルタ２６の交換を促す情報を含んでいてもよい。他方、検知部２４Ａが検知した開き角θがθ≧θ2である場合、制御部２３は出力部２５に第１開口部２１１の閉塞関連情報を出力させる。
【００４５】
以上説明した本発明の実施の形態２によれば、実施の形態１と同様の効果を得ることができる。加えて、本実施の形態２によれば、第１開口部２１１にフィルタ２６を取り付けたため、ベース部２の内部への塵や埃の侵入を確実に防止することができる。
【００４６】
また、本実施の形態２によれば、第１開口部２１１の閉塞とフィルタ２６の目詰まりを別の状態として報知することができるため、ユーザは２つの状態を区別して認識し、状態ごとに適切な対応を施すことが可能となる。
【００４７】
なお、開き角θの範囲をさらに細分化し、フィルタ２６の目詰まりの程度をレベル分けして報知するようにしてもよい。例えば、フィルタ２６に目詰まりが発生しているものの交換は不要な状態と、フィルタ２６に目詰まりが発生しておりすぐに交換が必要な状態とを区別して判定するようにしてもよい。この場合、交換が不要な状態の開き角θの上限値は、交換が必要な状態の開き角θの下限値よりも小さい。
【００４８】
（実施の形態２の変形例）
図５は、実施の形態２の変形例に係る医療用電子機器である手術用顕微鏡が備えるベース部の内部の概略構成を示す図である。同図に示すベース部２Ｂは、上述したベース部２Ａの構成に加えて、フィルタ２６の目詰まりを除去する除去部２７を有する。
【００４９】
除去部２７は、フィルタ２６の第１開口部２１１側の表面を掃いて表面に付着した塵や埃等の付着物を除去するブラシ部２７１と、制御部２３の制御のもとでブラシ部２７１を駆動するブラシ駆動部２７２とを有する。なお、ブラシ部２７１の周辺に、ブラシ部２７１が除去した付着物を収容する収容部を設けてもよい。
【００５０】
本変形例においては、検知部２４Ａが検知した蓋部２１４の開き角度θがθ1≦θ＜θ2である場合、制御部２３がブラシ駆動部２７２を駆動してブラシ部２７１にフィルタ２６の目詰まりを除去させる。
【００５１】
なお、除去部２７の動作を、所定の入力部からのユーザ入力によって開始するようにしてもよい。この場合には、例えば手術中に除去部２７が動作するのを防止することができる。また、検知部２４Ａの検知結果に応じて除去部２７を自動で動作させるか手動で動作させるかを選択可能な構成としてもよい。
【００５２】
以上説明した実施の形態２の変形例によれば、実施の形態２と同様の効果に加え、フィルタ２６の目詰まりを除去することが可能となる。
【００５３】
なお、除去部２７の構成は上述したものに限られるわけではなく、例えばロール状のフィルタを設け、フィルタの目詰まりを検知した場合にはフィルタを巻き取ることによって第１開口部２１１に新たなフィルタ面が位置するような構成としてもよい。
【００５４】
（実施の形態３）
図６は、本発明の実施の形態３に係る医療用電子機器である手術用顕微鏡が備えるベース部の内部の概略構成を示す図である。同図に示すベース部２Ｃは、筐体部２１Ｃと、送風部２２と、制御部２３と、検知部２４と、出力部２５と、を備える。ベース部２Ｃを除く手術用顕微鏡の構成は、実施の形態１で説明した手術用顕微鏡１の構成と同様である。
【００５５】
筐体部２１Ｃは、実施の形態１で説明した筐体部２１の構成に加えて、送風部２２の上流側と下流側とを隔離する隔離壁２１５を備える。隔離壁２１５の上流側の空間、すなわち第１開口部２１１と送風部２２との間の空間であって底面に蓋部２１４を有する空間は、第１開口部２１１および第３開口部２１３を除き、シール部材等によって隙間が密閉されているのが好ましい。これにより、第１開口部２１１の閉塞後に蓋部２１４が開くまでの時間が短くなる。また、隔離壁２１５の上流側の空間の体積が小さければ小さいほど、第１開口部２１１の閉塞後に蓋部２１４が開くまでの時間が短くなるのでさらに好ましい。
【００５６】
以上説明した本発明の実施の形態３によれば、実施の形態１と同様の効果を得ることができる。また、本実施の形態３においては、筐体部２１Ｃが隔離壁２１５を有するため、第１開口部２１１が閉塞された場合に送風部２２の上流側の密閉度が高く、実施の形態１の筐体部２１と比較してより大きい負圧が発生する。したがって、第１開口部２１１の閉塞に対してより迅速に蓋部２１４が開き、第１開口部２１１の閉塞に起因してベース部２Ｃの内部の温度が上昇するのを一段と確実に防止することができる。
【００５７】
（実施の形態４）
図７は、本発明の実施の形態４に係る医療用電子機器である手術用顕微鏡が備えるベース部の内部の概略構成を示す図である。同図に示すベース部２Ｄは、筐体部２１Ｄと、送風部２２と、制御部２３と、検知部２４と、出力部２５と、を備える。ベース部２Ｄを除く手術用顕微鏡の構成は、実施の形態１で説明した手術用顕微鏡１の構成と同様である。
【００５８】
筐体部２１Ｄは、実施の形態１で説明した筐体部２１の構成に加えて、第１開口部２１１が閉塞した場合にその閉塞を解除する閉塞解除部２１６を有する。閉塞解除部２１６は、第１開口部２１１が形成された側壁に設けられて該側壁の外面と直交する方向に進退可能なアーム部２１６ａと、制御部２３の制御のもとでアーム部２１６ａを駆動するアーム駆動部２１６ｂとを有する。
【００５９】
図７に示すように覆布１０１によって第１開口部２１１が閉塞して蓋部２１４が開くと、検知部２４が検知した結果に基づいて、制御部２３は第１開口部２１１が閉塞したと判定する。続いて、制御部２３は、アーム駆動部２１６ｂを駆動し、アーム部２１６ａを外側へ突出させることによって覆布１０１による第１開口部２１１の閉塞を解除する。
【００６０】
図８は、アーム部２１６ａが突出して第１開口部２１１の閉塞が解除された状態を示す図である。この状態において、蓋部２１４は閉じて第３開口部２１３を被覆する初期位置に戻っている。
【００６１】
以上説明した本発明の実施の形態４によれば、実施の形態１と同様の効果を得ることができる。加えて、本実施の形態４によれば、閉塞解除部２１６を備えたため、第１開口部２１１が閉塞した場合、その閉塞状態を自動的に解除することができる。
【００６２】
（実施の形態５）
図９は、本発明の実施の形態５に係る医療用電子機器である手術用顕微鏡が備えるベース部の内部の概略構成を示す図である。同図に示すベース部２Ｅは、筐体部２１Ｅと、送風部２２と、制御部２３と、検知部２４と、出力部２５と、を備える。ベース部２Ｅを除く手術用顕微鏡の構成は、実施の形態１で説明した手術用顕微鏡１の構成と同様である。
【００６３】
筐体部２１Ｅは、実施の形態１で説明した筐体部２１の蓋部２１４と開く向きが異なり、送風部２２が位置する側に開く。これに伴い、蓋部２１４Ｅの開閉を検知する検知部２４の設置位置も蓋部２１４Ｅの下流側の底面となっている。この点を除くベース部２Ｅの構成は、実施の形態１のベース部２の構成と同じである。
【００６４】
以上説明した本発明の実施の形態５によれば、蓋部２１４Ｅが送風部２２の側（空気の流れの下流側）を向いて開くため、第１開口部２１１が閉塞した場合に第３開口部２１３から送風部２２に至る空気の経路が短い。このため、蓋部２１４Ｅが開いてから負圧が解消されるまでの時間が短くて済む。実施の形態１と異なる構成に基づく上記効果以外は、実施の形態１と同様の効果を得ることができる。
【００６５】
（実施の形態６）
図１０は、本発明の実施の形態６に係る医療用電子機器である手術用顕微鏡が備えるベース部の内部の概略構成を示す図である。同図に示すベース部２Ｆは、筐体部２１Ｅと、送風部２２と、制御部２３と、検知部２４と、出力部２５と、を備える。ベース部２Ｆを除く手術用顕微鏡の構成は、実施の形態１で説明した手術用顕微鏡１の構成と同様である。
【００６６】
送風部２２は、第２開口部２１２の内側に設けられる。制御部２３は、蓋部２１４Ｅの下流側の近傍に位置している。この構成により、第１開口部２１１が閉塞されて蓋部２１４Ｅが開くと、第３開口部２１３から吸入した空気がすぐに制御部２３に達するため、迅速に制御部２３を冷却することが可能となる。なお、送風部２２を第２開口部２１２から離して設置してもよい。
【００６７】
以上説明した本発明の実施の形態６によれば、実施の形態１と同様の効果を得ることができる。加えて、本実施の形態６によれば、蓋部２１４Ｅの開く側の近傍に制御部２３が位置するため、蓋部２１４Ｅが開いた場合に制御部２３を迅速に冷却することができ、高い放熱効率を得ることができる。
【００６８】
（その他の実施の形態）
ここまで、本発明を実施するための形態を説明してきたが、本発明は上述した実施の形態１〜６によってのみ限定されるべきものではない。例えば、蓋部は、可撓性を有するシート状の材料を用いて構成してもよい。また、蓋部を開閉弁とし、ベース部の内部に負圧が発生した場合に開閉弁が開く構成としてもよい。また、蓋部を閉じる方向に蓋部を付勢するばね等の弾性部材を設けることにより、ベース部内部の負圧が解消した場合に蓋部が速やかに閉じる構成としてもよい。なお、弾性部材は、ベース部の内部に負圧が発生して蓋部が開いた状態で、蓋部が閉まらない程度の大きさの弾性力を発生するものであればよい。
【００６９】
また、実施の形態３〜６において、実施の形態２と同様、第１開口部２１１にフィルタ２６を取り付けた構成としてもよい。さらに、第３開口部２１３にフィルタを取り付けた構成としてもよい。
【００７０】
また、実施の形態２、４〜６において、実施の形態３と同様、ベース部に隔離壁２１５を設けてもよい。
【００７１】
また、第２開口部２１２の開口面積を制御部２３の制御のもとで可変な構成とし、制御部２３が第１開口部２１１の閉塞を判定した場合に第２開口部２１２の開口面積を大きくするような制御を行ってもよい。
【００７２】
また、送風部２２は１つである必要はなく、例えば第１開口部２１１の近傍に吸気用の送風部を設けるとともに、第２開口部２１２の近傍に排気用の送風部を設けてもよい。また、吸気口と排気口の数も適宜設定可能である。
【００７３】
また、制御部２３が送風部２２のファンの回転数を制御するようにしてもよい。この場合には、ファンの回転数を検出する手段を設けて、制御部２３の制御のもとで回転数を制御する。例えば、制御部２３が第１開口部２１１の閉塞を判定したとき、制御部２３が送風部２２の回転数を上昇させる制御を行ってもよい。
【００７４】
また、医療用電子機器が、例えば被観察体に挿入されて被観察体の内部を撮像する内視鏡を備えた内視鏡システムであってもよい。この場合には、内視鏡が撮像した画像を処理して内視鏡システムを制御する処理装置（カメラコントロールユニットともいう）に対して、上述した構成を適用すればよい。
【符号の説明】
【００７５】
１  手術用顕微鏡
２、２Ａ、２Ｂ、２Ｃ、２Ｄ、２Ｅ、２Ｆ  ベース部
３  支持部
４  顕微鏡部
２１、２１Ｃ、２１Ｄ、２１Ｅ  筐体部
２２  送風部
２３  制御部
２４、２４Ａ  検知部
２５  出力部
２６  フィルタ
２７  除去部
１０１  覆布
２１１  第１開口部
２１２  第２開口部
２１３  第３開口部
２１４、２１４Ｅ  蓋部
２１５  隔離壁
２１６  閉塞解除部
２１６ａ  アーム部
２１６ｂ  アーム駆動部
２７１  ブラシ部
２７２  ブラシ駆動部
【図１】
2018166195.tif 000003
【図２】
2018166195.tif 000004
【図３】
2018166195.tif 000005
【図４】
2018166195.tif 000006
【図５】
2018166195.tif 000007
【図６】
2018166195.tif 000008
【図７】
2018166195.tif 000009
【図８】
2018166195.tif 000010
【図９】
2018166195.tif 000011
【図１０】
2018166195.tif 000012